【手続補正書】
【提出日】平成16年12月20日(2004.12.20)
【手続補正１】
【補正対象書類名】明細書
【補正対象項目名】特許請求の範囲
【補正方法】変更
【補正の内容】
【特許請求の範囲】
【請求項１】
車両に備えるキャリパー型ブレーキ装置において、波長が４７０ｎｍ以下の短波長光（紫外線も含む）を含む光を照射する光照射手段（１）を、ブレーキシューもしくはブレーキパッド等の摺擦制動部品（２）と並べて備え、また、この光照射手段（１）はホイールリムもしくはブレーキディスク等の摺擦制動部品（２）の摺擦相手部品に光を照射する様に備えたことを特徴とするブレーキ装置。
【請求項２】
前記光照射手段（１）と摺擦制動部品（２）は摺擦前後方向に並べて配置したことを特徴とする請求項１記載のブレーキ装置。
【請求項３】
前記光照射手段（１）に備わる光源（３）は、ブレーキ装置が制動作動時、非作動時共に摺擦制動部品（２）の摺擦相手面に接触しない距離を保つことを特徴とする
請求項１記載のブレーキ装置。
【請求項４】
前記光照射手段（１）の光源（３）に発光ダイオードを用いたことを特徴とする請求項１記載のブレーキ装置。
【手続補正２】
【補正対象書類名】明細書
【補正対象項目名】０００１
【補正方法】変更
【補正の内容】
【０００１】    【発明の属する技術分野】    本発明は、ブレーキディスク、もしくはホイールリム等のブレーキ装置の摺擦相手    部品に蓄光機能、光触媒機能等の光照射により機能を発揮する手段を備えた車両に    用いる、光照射機能を備えたブレーキ装置に関するものである。
【手続補正３】
【補正対象書類名】明細書
【補正対象項目名】０００４
【補正方法】変更
【補正の内容】
【０００４】    【課題を解決するための手段】    車両に備えるキャリパー型ブレーキ装置において、波長が４７０ｎｍ以下の短波長光    （紫外線も含む）を含む光を照射する光照射手段（１）を、ブレーキシューもしくは    ブレーキパッド等の摺擦制動部品（２）の横に並べて備える。本発明は以上の構成    より成るブレーキ装置であって、蓄光機能部もしくは光触媒機能部（４）を備えた    ブレーキディスク、あるいはホイールリム（６）等のブレーキ装置の摺擦相手部品と    本発明を組み合わせて用いることによって課題を解決する。
【手続補正４】
【補正対象書類名】明細書
【補正対象項目名】０００５
【補正方法】変更
【補正の内容】
【０００５】    【発明の実施の形態】    以下、本発明の実施の形態について説明する。車両に備えるキャリパー型ブレーキ    装置において、これに用いるブレーキパッドやブレーキシューなどの摺擦制動部品    （２）の横に、波長が４７０ｎｍ以下の短波長光（紫外線も含む）を含む光を照射    するところの光照射手段（１）を並べて配置し、摺擦制動部品（２）と共に、キャ    リパーアーム（５）等の挟圧手段に固定する。このため、光照射手段（１）には    例えばキャリパーアーム（５）等の挟圧手段に固定する手段か、摺擦制動部品（２）    に固定する手段、あるいは、キャリパーアーム（５）等の挟圧手段と摺擦制動部品    （２）の間に挟んで固定する手段を備えるか、もしくは摺擦制動部品（２）を保持    する部品が光照射手段（１）を保持もしくは内蔵する構造を備える等の構造をとる。    図２および図３は摺擦制動部品（２）の保持用ボルトネジに光照射手段（１）の固定    手段に備わる穴を通し、キャリパーアーム（５）に共締め固定する構造を用いた実施    例である。光照射手段（１）は摺擦制動部品（２）の摺擦相手部品であるホイール    リム（６）もしくはブレーキディスク等に光を照射する様に取り付ける。本発明は    摺擦相手部品の摺擦部分に蓄光機能もしくは光触媒機能を備えたものと組み合わせて    用いることを前提としており、光照射手段の光は、これらの機能部位に対して照射    されなければならない。このため、光照射手段（１）は、摺擦制動部品（２）に    対して摺擦方向の前もしくは後ろに配置する。光照射手段（１）に用いる光源（３）    は、摺擦や圧力による破損を避けるため、ブレーキ装置が制動作動時、非作動時共に    摺擦制動部品（２）の摺擦相手面に接触しない距離を保つようにホイールリム、    もしくはブレーキディスクから距離を確保するように取り付ける。
【手続補正５】
【補正対象書類名】明細書
【補正対象項目名】０００６
【補正方法】変更
【補正の内容】
【０００６】    光照射手段（１）の光源（３）には波長が４７０ｎｍ以下の短波長光（紫外線も    含む）を含む光を照射することが可能なものを用いる。これは、短波長の光で    なければ蓄光機能材料を励起、発光せしめる、あるいは、光触媒の触媒効果を働か    せることが出来ないためである。そして、本発明ではこの光源として発光ダイオード    を用いる。これは、既に４７０ｎｍ以下の波長の光を発光が可能なものが出来て    おり、発光ダイオードであれば小型で振動、衝撃に対する耐久性に優れ、低電圧の    直流電流で駆動出来るため雨等で濡れても漏電の心配が少ないことから本発明への    用途に適しているためである。
【手続補正６】
【補正対象書類名】明細書
【補正対象項目名】０００７
【補正方法】変更
【補正の内容】
【０００７】    本発明は以上の構成よりなるブレーキ装置である。例えば車両の夜間視認性を改善    する効果を得る場合には、本発明を、ブレーキ摺接面に蓄光機能部（４）を備えた    ブレーキディスクもしくはホイールリム（６）と組み合わせて使用する。ブレーキ    装置の構造が、ディスクブレーキの場合は蓄光機能部を備えたブレーキディスクと    組み合わせる。リムブレーキの場合は蓄光機能部（４）を備えたホイールリム（６）    と組み合わせる。これによって、走行中に光照射手段（１）からの光が全周の蓄光    機能部（４）に照射されることになる。光照射手段（１）の光に含まれる短波長光は    蓄光機能材料を効率的に励起し、自発光を促すことが出来るため、蓄光機能部（７）    を明るく自発光させることが出来る。
【手続補正７】
【補正対象書類名】明細書
【補正対象項目名】０００８
【補正方法】変更
【補正の内容】
【０００８】    例えばブレーキ装置の制動性能の維持効果を得る場合には、本発明を、酸化チタン    コーティング等によって光触媒機能部（４）をブレーキ摺接面に備えたブレーキ    ディスクもしくはホイールリム（６）と組み合わせて使用する。ブレーキ装置の    構造が、ディスクブレーキの場合は光触媒機能部（４）を備えたブレーキディスクと    組み合わせ、リムブレーキの場合は光触媒機能部（４）を備えたホイールリム（６）    と組み合わせる。これによって、走行中に光触媒に光照射手段（１）からの光が全周    の光触媒機能部（４）に照射されることになる。光照射手段（１）の光に含まれる短    波長光は、光触媒の触媒作用を活性化することが出来るため、これによって    もたらされる酸化分解反応によってブレーキ摺接面に付着した汚れの除去を促す    ことが可能となる。雨天においてはこれに超親水効果による油分分離作用が加わる    ため、油性の汚れが効果的に洗い流され、除去されるため、雨天における制動力の    劣化を従来よりも少なく抑えることが可能となる。また、車両の視認性向上効果と、    ブレーキ装置の、制動能力の維持効果の両方を得る場合には、前述の蓄光機能と    光触媒機能の両方を兼ね備えたブレーキディスク又はホイールリム（６）と本発明を    組み合わせて使用すればよい。
【手続補正８】
【補正対象書類名】明細書
【補正対象項目名】０００９
【補正方法】変更
【補正の内容】
【０００９】    【発明の効果】    本発明により、制動面に蓄光機能部（４）を備えたブレーキディスクもしくは    ホイールリム（６）と組み合わせて用いることで、夜間走行時に外部環境の光に頼る    ことなく、常に蓄光機能部位（４）を明るく自発光せしめ、車両の視認性を向上    させることが出来る。また、ブレーキ摺接面に光触媒機能部（４）を備えたブレーキ    ディスクもしくはホイールリム（６）と組み合わせて用いることで、光触媒機能を    活性化し、外部環境の光に頼らずに、摺擦制動部品（２）の相手側摺接面のクリー    ニング効果が得られ、ブレーキ装置の制動性能が良好に維持される。光照射手段    （１）がブレーキ装置に備わることによる効果としては、光照射手段（１）を別体で    取り付ける場合と比べて取り付け場所が確実に確保できる。また、ブレーキ装置の    位置調整がそのまま光照射位置の位置調整にもなるため、光照射位置の位置調整を    不要にすることが出来る。光照射手段（１）は摺擦制動部品（２）と別体である    ため、摺擦制動部品（２）は従来のものを使用できる。
【手続補正９】
【補正対象書類名】明細書
【補正対象項目名】図面の簡単な説明
【補正方法】変更
【補正の内容】
【図面の簡単な説明】      【図１】      本発明の実施例断面図      【図２】      本発明の実施例斜視図（光照射手段取り付け状態）      【図３】      本発明の実施例斜視図（光照射手段取り外し状態）    【符号の説明】      １．光照射手段      ２．摺擦制動部品（ブレーキシューもしくはブレーキパッド）      ３．光源      ４．蓄光機能部／光触媒機能部      ５．キャリパーアーム      ６．ホイールリム